(57)【要約】【課題】フィルターの交換時において、冷却ファンの配設空間に塵埃が侵入することを防止できるプロジェクターを提供すること。【解決手段】吸気口２２１が形成された外装筐体２と、外装筐体２内部を冷却する冷却ファン５とを備えたプロジェクターであって、吸気口２２１及び冷却ファン５の間に設けられ、吸気口２２１から冷却ファン５に向う空気の流路を形成する空気導入部Ｄと、外装筐体２外部から着脱可能とし、空気導入部Ｄ（外装筐体２）内部に装着されることで、流路を辿って冷却ファン５に向う空気に含まれる塵埃を捕捉する吸気フィルター４１と、吸気フィルター４１に対して流路の上流側に配設され、塵埃を捕捉するサブフィルター４２とを備え、サブフィルター４２は、空気導入部Ｄの内面に沿うように配設されている。【選択図】図４
2010204342.tif 000002
【特許請求の範囲】
【請求項１】
吸気口が形成された外装筐体と、前記外装筐体内部を冷却する冷却ファンとを備えたプロジェクターであって、
前記吸気口及び前記冷却ファンの間に設けられ、前記吸気口から前記冷却ファンに向う空気の流路を形成する空気導入部と、
前記外装筐体外部から着脱可能とし、前記空気導入部に装着されることで、前記流路を閉塞して前記冷却ファンに向う空気に含まれる塵埃を捕捉する吸気フィルターと、
前記吸気フィルターに対して前記流路の上流側に配設され、前記塵埃を捕捉するサブフィルターとを備え、
前記サブフィルターは、前記空気導入部の内面に沿うように配設されている
ことを特徴とするプロジェクター。
【請求項２】
請求項１に記載のプロジェクターにおいて、
前記吸気口は、前記外装筐体の底面部に形成され、
前記サブフィルターは、前記底面部に対して略平行となるように配設されている
ことを特徴とするプロジェクター。
【請求項３】
請求項１または請求項２に記載のプロジェクターにおいて、
前記吸気フィルター及び前記サブフィルターは一体化されている
ことを特徴とするプロジェクター。
【請求項４】
請求項３に記載のプロジェクターにおいて、
前記サブフィルターは、
前記吸気フィルターに対して、前記吸気フィルターにおける塵埃を捕捉する捕捉面の面外方向に回動可能に軸支され、回動することで、前記捕捉面の少なくとも一部を閉塞する閉位置、または開放する開位置に移動し、
前記空気導入部には、
前記吸気フィルターが前記空気導入部に装着される際、前記閉位置に位置付けられた前記サブフィルター及び前記吸気フィルターの間に入り込んで前記サブフィルターを前記開位置に移動させる第１の回動突起が設けられている
ことを特徴とするプロジェクター。
【請求項５】
請求項４に記載のプロジェクターにおいて、
前記空気導入部には、
前記吸気フィルターが前記外装筐体から取り外される際、前記開位置に位置付けられた前記サブフィルターを押圧して前記閉位置に移動させる第２の回動突起が設けられている
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体内部に配設される冷却ファンの駆動により、外装筐体の側面部に形成された吸気口を介して外部の空気を導入し、外装筐体内部に配設される各構成部材を冷却する冷却構造が採用されている（例えば、特許文献１参照）。
また、特許文献１に記載の冷却構造では、導入した空気から塵埃を除去するために、フィルターが採用され、フィルターは、吸気口と対向するように配設されている。
具体的には、フィルターは、外装筐体外部から着脱可能とし、外装筐体内部に装着されることで、吸気口から冷却ファンに向う空気の流路を閉塞し、前記流路を辿って冷却ファンに向う空気に含まれる塵埃を捕捉している。
【先行技術文献】
【特許文献】
【０００３】
【特許文献１】特開２００９−３３１７号公報
【発明の概要】
【発明が解決しようとする課題】
【０００４】
ところで、特許文献１に記載の冷却構造では、外装筐体内部において、吸気口とフィルターとの間の空間（以下、上流側空間）には、吸気口が常時、開放された状態であるため、吸気口を介して外部の塵埃等が侵入し、堆積しやすいものである。
このように上流側空間に塵埃が堆積した状態で、例えば、フィルターを交換するために外装筐体からフィルターを脱着した場合には、以下のような現象が生じてしまうという問題がある。
すなわち、フィルターの脱着に伴って上流側空間の空気が流動する。上流側空間の空気が流動すると、上流側空間に堆積した塵埃は、流動した空気とともに冷却ファンの配設空間（以下、下流側空間）に侵入する。
そして、上記の現象が生じた場合には、既に下流側空間に侵入した塵埃は、プロジェクターの使用時において、フィルターにて捕捉されることがなく、冷却ファンに空気とともに吸入され、内部の構成部材に送風されることで前記構成部材に付着してしまう。
【０００５】
本発明の目的は、フィルターの交換時において、冷却ファンの配設空間に塵埃が侵入することを防止できるプロジェクターを提供することにある。
【課題を解決するための手段】
【０００６】
本発明のプロジェクターは、吸気口が形成された外装筐体と、前記外装筐体内部を冷却する冷却ファンとを備えたプロジェクターであって、前記吸気口及び前記冷却ファンの間に設けられ、前記吸気口から前記冷却ファンに向う空気の流路を形成する空気導入部と、前記外装筐体外部から着脱可能とし、前記空気導入部に装着されることで、前記流路を閉塞して前記冷却ファンに向う空気に含まれる塵埃を捕捉する吸気フィルターと、前記吸気フィルターに対して前記流路の上流側に配設され、前記塵埃を捕捉するサブフィルターとを備え、前記サブフィルターは、前記空気導入部の内面に沿うように配設されていることを特徴とする。
【０００７】
本発明では、サブフィルターが、空気導入部内部における上流側空間（吸気口と吸気フィルターとの間の空間）において、空気導入部内面に沿って配設されている。すなわち、吸気口を介して上流側空間に侵入した塵埃は、サブフィルターにて補足されることとなる。このため、吸気フィルターを交換する際に、吸気フィルターの脱着に伴って上流側空間の空気が流動した場合であっても、上流側空間の塵埃がサブフィルターにて捕捉されているため、下流側空間（冷却ファンの配設空間）に侵入することを防止できる。
【０００８】
本発明のプロジェクターでは、前記吸気口は、前記外装筐体の底面部に形成され、前記サブフィルターは、前記底面部に平行となる位置に配設されていることが好ましい。
ところで、プロジェクターを天井等に吊り下げて（以下、天吊り）設置する場合に、底面部が天井等に対向するように設計されたプロジェクターでは、底面部に吸気口が形成されていると、天吊り設置した際に、プロジェクターを起動していない状態においても、当該吸気口を介して外部の塵埃等が自重により侵入しやすい。そのため、下方側を向いている天面部の内面に特に堆積しやすい。
本発明では、吸気口が底面部に形成されたプロジェクターにサブフィルターを採用しているので、下流側空間に塵埃が侵入することを効率的に防止できる。
また、サブフィルターは、底面部と平行となる位置に配設されるので、吸気口から自重により侵入した塵埃を効率的に捕捉できる。すなわち、上述したように設計されたプロジェクターを天吊り設置する場合では、底面部が上方側を向くため、プロジェクターを起動していない場合においても、吸気口を介して自重により侵入した塵埃等をサブフィルターにて捕捉できる。
【０００９】
本発明のプロジェクターでは、前記吸気フィルター及び前記サブフィルターは一体化されていることが好ましい。
本発明では、吸気フィルターとサブフィルターとが一体化されているので、吸気フィルターとともにサブフィルターを取り外すことができ、吸気フィルターのみならず、サブフィルターも同時に交換することができる。従って、サブフィルターが塵埃を捕捉する状態を良好に維持することができる。
【００１０】
本発明のプロジェクターでは、前記サブフィルターは、前記吸気フィルターに対して、前記吸気フィルターにおける塵埃を捕捉する捕捉面の面外方向に回動可能に軸支され、回動することで、前記捕捉面の少なくとも一部を閉塞する閉位置、または開放する開位置に移動し、前記空気導入部には、前記吸気フィルターが前記空気導入部に装着される際、前記閉位置に位置付けられた前記サブフィルター及び前記吸気フィルターの間に入り込んで前記サブフィルターを前記開位置に移動させる第１の回動突起が設けられていることが好ましい。
【００１１】
ところで、吸気フィルター及びサブフィルターは、外装筐体に形成された着脱開口部を介して外装筐体外部から着脱される。この際、吸気フィルター及びサブフィルターを小型化させて着脱することが作業上、望ましい。そのため、外装筐体内部に装着される前において、サブフィルターは、吸気フィルターの捕捉面を閉塞する閉位置に位置するように構成されている。
本発明では、サブフィルターは、捕捉面の面外方向に回動する。そして、空気導入部には、第１の回動突起が設けられている。これにより、吸気フィルター及びサブフィルターが外装筐体内部に装着される際に、第１の回動突起は、吸気フィルターとサブフィルターとの間に入り込み、サブフィルターを開位置に向けて移動させる。吸気フィルターを外装筐体内部に装着するだけで、サブフィルターを捕捉面の面外方向に回動させ、所望の位置（開位置）に配設することができる。
【００１２】
本発明のプロジェクターでは、前記空気導入部には、前記吸気フィルターが前記外装筐体から取り外される際、前記開位置に位置付けられた前記サブフィルターを押圧して前記閉位置に移動させる第２の回動突起が設けられていることが好ましい。
本発明では、空気導入部には、第２の回動突起が設けられている。吸気フィルターを外装筐体内から取り出す際、第２の回動突起は、サブフィルターを押圧しながら、サブフィルターを回動させ、所望の位置（閉位置）に配設することができる。
【図面の簡単な説明】
【００１３】
【図１】本発明の第１実施形態に係るプロジェクターを背面上方側から見た斜視図。
【図２】前記プロジェクターを背面下方側から見た斜視図。
【図３】前記プロジェクターの内部構造の一部を示す斜視図。
【図４】前記プロジェクターの内部構造の一部を示す斜視図
【図５】フィルター装置の分解斜視図。
【図６】前記フィルター装置の構成を示す斜視図。
【図７】サブフィルターが回動する様子を背面下方側から見た斜視図。
【図８】前記プロジェクターの内部構造の一部を示す斜視図。
【図９】図８におけるＩＸ−ＩＸ線断面図。
【図１０】前記サブフィルターが回動する様子を背面上方側から見た斜視図。
【図１１】本発明の第２実施形態に係るプロジェクターの内部構造の一部を示す斜視図。
【図１２】図１１におけるＸＩＩ−ＸＩＩ線断面図。
【発明を実施するための形態】
【００１４】
［第１実施形態］
以下、本発明に係る第１実施形態を図面に基づいて説明する。
［プロジェクターの外観構成］
図１は、本発明に係るプロジェクター１を背面上方側から見た斜視図である。
なお、以下では、プロジェクター１において投射側（投射レンズ３が配置された側）を前面とし、その反対側を背面とする。また、以下で記載する「上」、「下」は、図１における図面視において、上下に相当するものである。さらに、以下で記載する「左」、「右」は、背面側から見た場合の左右を意味するものである。
【００１５】
プロジェクター１は、画像情報に応じた画像を形成してスクリーン（図示略）上に投射する。このプロジェクター１は、図１に示すように、外装を構成する外装筐体２を備える。
外装筐体２は、アッパーケース２Ａ及びロアーケース２Ｂで構成され、鉛直方向に交差する天面部２１及び底面部２２と、前面部２３と、背面部２４と、右側面部２５と、左側面部２６とを備え、略直方体形状を有する。そして、外装筐体２は、光源装置、前記光源装置から射出された光束を画像情報に応じて変調する液晶パネル等の光変調装置、及び前記光変調装置にて変調された光束を投射する投射レンズ３等を有する装置本体を収納する。
なお、前記装置本体については、種々の一般的なプロジェクターで利用されているため、具体的な図示を省略する。
【００１６】
外装筐体２の左側面部２６の背面寄りには、図１に示すように、略矩形状の着脱開口部２６１が形成され、この着脱開口部２６１を介してフィルター装置４が外装筐体２外部から着脱される。
そして、外装筐体２内部には、フィルター装置４の他、冷却ファン５（図３参照）等が配設される。ここで、フィルター装置４は、吸気フィルター４１（図４参照）と、サブフィルター４２（図４参照）とを備えている。
なお、フィルター装置４、及び冷却ファン５の詳細については、後述する。
【００１７】
図２は、プロジェクター１を背面下方側から見た斜視図である。
外装筐体２の底面部２２の背面寄りには、図２に示すように、複数の開口部２２１Ａが左右方向に沿って並設し、外部の空気を導入するための吸気口２２１が形成されている。
【００１８】
［プロジェクターの内部構成］
図３、４は、本実施形態におけるプロジェクター１の内部構造の一部を示す斜視図であり、具体的には、図３は、プロジェクター１の背面上側を切り欠いて、フィルター装置４が外された状態の内部構造を示す図であり、図４は、プロジェクター１の背面上側を切り欠いて、フィルター装置４が外装筐体２外部から着脱される様子を示す図である。
天面部２１及び底面部２２の内面には、図２ないし図４に示すように、フィルター装置４の外装筐体２への着脱を案内するレール状の一対の案内部２１Ａ，２２Ａが左右方向に沿って形成されている。
【００１９】
ここで、外装筐体２内には、図３、４に示すように、冷却ファン５により吸気口２２１を介して空気が導入される空気導入部Ｄが形成される。
空気導入部Ｄは、外装筐体２に一体形成された区画板２７にて、冷却ファン５と吸気口２２１との間に形成される上流側空間Ｄ１と、冷却ファン５が配設される下流側空間Ｄ２とに区画されている。区画板２７は、背面部２４に対向する位置に底面部２２から立設されている。この区画板２７には、略矩形状の吸気開口部１０が左右方向に沿って形成される。
【００２０】
吸気開口部１０は、図４に示すように、フィルター装置４が外装筐体２内に取り付けられることで閉塞される。これにより、プロジェクター１の起動時に、上流側空間Ｄ１に取り込まれた空気中の塵埃がフィルター装置４により除去され、塵埃が除去された空気が下流側空間Ｄ２へ導入される。
【００２１】
上流側空間Ｄ１は、区画板２７、天面部２１（図２）の一部、背面部２４（図２）の一部、左側面部２６の一部、外装筐体２に一体形成された区画板２８、及び底面部２２の一部で区画される空間である。区画板２８は、左側面部２６に対向する位置に底面部２２から立設されている。また、この上流側空間Ｄ１には、第１の回動突起６、及び第２の回動突起７が配設されている。
【００２２】
第１の回動突起６は、略四角錐状に形成され、区画板２８のアッパーケース２Ａ側に配設されている。この第１の回動突起６は、先端部分が上流側空間Ｄ１の内部に対して向いており、側方に第１傾斜面６１と、上方に第２傾斜面６２と、基端部分に支持部６３とを備えている。
第１傾斜面６１は、前面部２３に対して傾斜し、第２傾斜面６２は、底面部２２に対して傾斜している。また、第１傾斜面６１と第２傾斜面６２との稜線部分には、サブフィルター４２の裏面を押圧する稜線部６４が形成されている。
支持部６３は、フィルター装置４が外装筐体２内に装着された際に、サブフィルター４２を吸気フィルター４１に対して直交する位置で支持する部分である。
【００２３】
第２の回動突起７は、略四角錐状に形成され、左側面部２６の上端部分に配設されている。この第２の回動突起７は、先端部分が上流側空間Ｄ１の内部に対して向いており、側方に第１傾斜面７１と、下方に第２傾斜面７２（図１０参照）とを備えている。
第１傾斜面７１は、底面部２２に対して傾斜し、第２傾斜面７２は、天面部２１に対して傾斜している。また、第１傾斜面７１と第２傾斜面７２との稜線部分には、サブフィルター４２の表面を押圧する稜線部７３（図１０参照）が形成されている。
【００２４】
下流側空間Ｄ２は、容器状に形成されたダクト部材１１、及び底面部２２の一部によって区画された空間である。
ダクト部材１１は、冷却ファン５を収納できる大きさに容器状に形成されている。また、ダクト部材１１は、底面部２２側が開口されて、当該開口部分が底面部２２にて閉塞されるように底面部２２に取り付けられる。このダクト部材１１には、吸気開口部１０に対応する位置が開口され、さらに、前面部２３側に吐出開口部１１１が形成されている。
【００２５】
ここで、冷却ファン５は、図３、４に示すように、シロッコファンで構成され、空気を吸入する吸入口５１が天面部２１側に向き、空気を吐出する吐出口５２が前面部２３側に向きダクト部材１１の吐出開口部１１１に接続されている。
そして、冷却ファン５は、空気導入部Ｄを介して、吸気口２２１から外部の空気を吸入し、吐出口５２から吐出することで、例えば、前記装置本体を構成する光源装置等の光学部品を冷却する。
【００２６】
［フィルター装置の構成］
図５は、フィルター装置４の分解斜視図である。
フィルター装置４は、図４に示すように、着脱開口部２６１から案内部２１Ａ，２２Ａを介して、外装筐体２外部から着脱可能に設けられる。また、フィルター装置４は、図５に示すように、吸気フィルター４１と、サブフィルター４２とを備える。
【００２７】
吸気フィルター４１は、外装筐体２内に装着されることで、空気導入部Ｄを辿って流通する空気の流路を閉塞し、プロジェクター１の起動時に前記流路を辿って冷却ファン５に向う空気に含まれる塵埃を捕捉する。この吸気フィルター４１は、図５に示すように、枠体４１１と、吸気フィルター本体４１２とを備えている。
【００２８】
枠体４１１は、図５に示すように、略矩形状に形成されて、吸気フィルター本体４１２を嵌め込むための嵌め込み部４１１１を有している。この枠体４１１には、図５に示すように、フィルター装置４を外装筐体２外部から着脱する際に把持する把持部４１１２が左側面部２６側に設けられているとともに、サブフィルター４２が回動自在に取り付けられる筒状の軸支部４１１３が背面部２４側の上端縁に二箇所、配設されている。
【００２９】
吸気フィルター本体４１２は、図５に示すように、空気導入部Ｄに取り込まれた空気中の塵埃を除去する静電フィルターで構成されている。より具体的に、吸気フィルター本体４１２は、静電気を帯電させた高分子繊維をプリーツ加工することにより、表面積を拡大させて塵埃の捕集効率を向上させている。本発明に係る捕捉面は、吸気フィルター本体４１２における塵埃を捕捉する面である。
【００３０】
サブフィルター４２は、図５に示すように、収納部４２１と、サブフィルター本体４２２とを備えている。
収納部４２１は、図５に示すように、略矩形状の板体で構成され、嵌め込み部４２１１と、切欠部４２１２と、支持軸４２１３と、係合部４２１４とを備えている。
嵌め込み部４２１１は、前面部２３側に向けて凹状に窪み、サブフィルター本体４２２を嵌め込む部分である。
切欠部４２１２は、吸気フィルター４１の一対の軸支部４１１３の対応する位置に一対形成されている。
支持軸４２１３は、一対の切欠部４２１２から左右方向に向けて突出し、軸支部４１１３に嵌合する部分である。
係合部４２１４は、右側面部２５側に形成され、フィルター装置４が外装筐体２内に装着された際に第１の回動突起６と係合する部分である。
【００３１】
サブフィルター本体４２２は、図５に示すように、略矩形状に形成され、プロジェクター１の起動していない状態において、上流側空間Ｄ１内に自重により侵入してきた塵埃を捕捉し、また、プロジェクター１の起動状態において、上流側空間Ｄ１内に取り込まれた空気中の塵埃を捕捉するものである。
このサブフィルター本体４２２には、収納部４２１の一対の切欠部４２１２の対応する位置に一対の切欠部４２２１が形成される。なお、サブフィルター本体４２２は、本実施形態では、静電フィルターで構成されているが、この他に粘着性シート、またはポリウレタンフォーム系フィルターを採用してもよい。
【００３２】
以上の構成によれば、フィルター装置４を着脱開口部２６１から外装筐体２内に装着する際、サブフィルター４２は、支持軸４２１３を中心として第１の回動突起６により回動する。そして、サブフィルター４２は、吸気フィルター４１を開放する開位置に位置付けられる。
一方、フィルター装置４を着脱開口部２６１から外装筐体２外に取り出す際、サブフィルター４２は、第２の回動突起７により押圧され、支持軸４２１３を中心として、吸気フィルター４１を閉塞する閉位置に位置付けられる。
【００３３】
［フィルター装置の動作］
図７は、サブフィルター４２が回動する様子を背面下方側から見た斜視図である。具体的には、フィルター装置４を外装筐体２内へ装着する際に、サブフィルター４２が開位置に向けて回動する様子を示す図である。
図８は、プロジェクター１の内部構造の一部を示す斜視図であり、具体的には、プロジェクター１の背面上方側を切り欠いて、フィルター装置４が外装筐体２内に装着されている状態を示す図である。
図９は、図８におけるＩＸ−ＩＸ線断面図である。
図１０は、サブフィルター４２が回動する様子を背面上方側から見た斜視図である。具体的には、フィルター装置４を外装筐体２外へ取り出す際に、サブフィルター４２が閉位置に向けて回動する様子を示す図である。
【００３４】
図４に示すように、サブフィルター４２が吸気フィルター４１を閉塞する閉位置に位置付けられる状態において、フィルター装置４の把持部４１１２を把持しながら、フィルター装置４を着脱開口部２６１から挿入していく。そして、第１の回動突起６の先端部分は、図７に示すように、収納部４２１の係合部４２１４に接触して、吸気フィルター４１とサブフィルター４２との間に入り込む。
【００３５】
さらに、フィルター装置４を外装筐体２内に向けて挿入し続けると、図７に示すように、第１の回動突起６の稜線部６４がサブフィルター４２の裏面を側方へ向けて押圧する。これにより、サブフィルター４２は、支持軸４２１３（図５参照）を中心として、吸気フィルター本体４１２の面外方向である上方へ向けて回動し始める。
そして、図８に示すように、フィルター装置４の右側面部２５側の面が区画板２８に当接し、フィルター装置４が外装筐体２内に装着されると、サブフィルター４２は、第１の回動突起６の支持部６３に支持される状態となる。すなわち、サブフィルター４２は、図８及び図９に示すように、吸気フィルター４１に対して直交する位置（天面部２１及び底面部２２に対して略平行となる位置）に配置され、吸気フィルター４１を開放する開位置に配設される。
【００３６】
図８に示す状態（サブフィルター４２が吸気フィルター４１に対して直交している状態）からフィルター装置４を外装筐体２外へ取り外す場合には、先ず、フィルター装置４の把持部４１１２を把持して、フィルター装置４を着脱開口部２６１から外装筐体２外に引き出す。これにより、図１０に示すように、第２の回動突起７の稜線部７３がサブフィルター４２の表面を押圧し始めて、サブフィルター４２は、下方へ向けて回動し始める。
そして、図４に示すように、サブフィルター４２が吸気フィルター４１を閉塞する閉位置に位置付けられ、フィルター装置４が外装筐体２外へ取り外される。
【００３７】
上述した第１実施形態に係るプロジェクター１によれば、以下の効果がある。
（１）サブフィルター４２が、空気導入部Ｄ内部における上流側空間Ｄ１において、空気導入部Ｄ内面に沿って配設されている。すなわち、吸気口２２１を介して上流側空間Ｄ１に侵入した塵埃は、サブフィルター４２にて捕捉されることとなる。このため、フィルター装置４を交換する際に、フィルター装置４の脱着に伴って上流側空間Ｄ１の空気が流動した場合であっても、上流側空間Ｄ１の塵埃がサブフィルター４２にて捕捉されているため、下流側空間Ｄ２に侵入することを防止できる。
（２）吸気口２２１が底面部２２に形成されたプロジェクター１にサブフィルター４２を採用しているので、下流側空間Ｄ２に塵埃が侵入することを効率的に防止できる。
また、サブフィルター４２は、底面部２２と平行となる位置に配設されるので、吸気口２２１から自重により侵入した塵埃を効率的に捕捉できる。すなわち、プロジェクター１を天吊り設置する際、底面部２２が天井等と対向するように設計された場合では、底面部２２が上方側を向くため、プロジェクター１を起動していない場合においても、吸気口２２１を介して自重により侵入した塵埃等をサブフィルター４２にて捕捉できる。
（３）フィルター装置４は、吸気フィルター４１とサブフィルター４２とが一体化されているので、吸気フィルター４１とともにサブフィルター４２を取り外すことができ、吸気フィルター４１のみならず、サブフィルター４２も同時に交換することができる。従って、サブフィルター４２が塵埃を捕捉する状態を良好に維持することができる。
【００３８】
（４）サブフィルター４２は、吸気フィルター本体４１２の面外方向に回動する。そして、空気導入部Ｄには、第１の回動突起６が設けられている。これにより、フィルター装置４が外装筐体内に装着される際に、第１の回動突起６は、吸気フィルター４１とサブフィルター４２との間に入り込み、サブフィルター４２を開位置に向けて移動させる。吸気フィルター４１を外装筐体２内に装着するだけで、サブフィルター４２を吸気フィルター本体４１２の面外方向に回動させ、所望の位置（開位置）に配設することができる。
（５）空気導入部Ｄには、第２の回動突起７が設けられている。吸気フィルター４１を外装筐体２内から取り出す際、第２の回動突起７は、サブフィルター４２を押圧しながら、サブフィルター４２を回動させ、所望の位置（閉位置）に配設することができる。
【００３９】
［第２実施形態］
次に、本発明の第２実施形態を図面に基づいて説明する。以下の説明では、前記第１実施形態と同様の構造および同一部材には同一符号を付して、その詳細な説明は省略または簡略化する。
前記第１実施形態でのフィルター装置４は、吸気フィルター４１とサブフィルター４２とが一体化されていたが、本実施形態では、これらを別体として、上流側空間Ｄ１の内面には、複数のサブフィルター４２Ａが取り付けられている。これにより、上流側空間Ｄ１には、第１、２回動突起６，７が配設されていない。
【００４０】
図１１は、本実施形態におけるプロジェクター１の内部構造の一部を示す斜視図であり、具体的には、プロジェクター１の背面上方側を切り欠いて、吸気フィルター４１が装着されている状態の内部構造を示す図である。
図１２は、図１１におけるＸＩＩ−ＸＩＩ線断面図である。
サブフィルター４２Ａは、図１１及び図１２に示すように、天面部２１の一部、左側面部２６の一部、区画板２８、及び背面部２４の一部の四面部分に配設される。サブフィルター４２Ａは、プロジェクター１の起動していない状態において、吸気口２２１を介して上流側空間Ｄ１に侵入する塵埃を捕捉し、また、プロジェクター１の起動状態において、上流側空間Ｄ１内に取り込まれる空気中の塵埃を捕捉する。
【００４１】
上述した第２実施形態に係るプロジェクター１によれば、前記第１実施形態の（１）、（２）の効果と同様の効果を奏することができる。
【００４２】
［実施形態の変形］
なお、本発明は前述の実施形態に限定されるものではなく、本発明の目的を達成できる範囲での変形、改良等は本発明に含まれるものである。
前記各実施形態では、吸気口２２１は、底面部２２に形成されていたが、任意の位置に形成されていてもよい。
前記各実施形態では、フィルター装置４を左側面部２６に形成された着脱開口部２６１からスライドさせて着脱させていたが、天面部２１や底面部２２に開口部を形成して、フィルター装置４を当該開口部を介して、外装筐体２外部から着脱してもよく、スライドでの着脱に限定されるものではない。
【産業上の利用可能性】
【００４３】
本発明は、プレゼンテーションやホームシアターに用いられるプロジェクターに利用できる。
【符号の説明】
【００４４】
１…プロジェクター、２…外装筐体、５…冷却ファン、６…第１の回動突起、７…第２の回動突起、２２…底面部、４１…吸気フィルター、４２…サブフィルター、２２１…吸気口、Ｄ…空気導入部。
【図１】
2010204342.tif 000003
【図２】
2010204342.tif 000004
【図３】
2010204342.tif 000005
【図４】
2010204342.tif 000006
【図５】
2010204342.tif 000007
【図６】
2010204342.tif 000008
【図７】
2010204342.tif 000009
【図８】
2010204342.tif 000010
【図９】
2010204342.tif 000011
【図１０】
2010204342.tif 000012
【図１１】
2010204342.tif 000013
【図１２】
2010204342.tif 000014